(57)【要約】  拡散コードを基準信号に適用することに関連する方法、方式、デバイスについて記載する。１つの例示的な態様では、無線通信のための方法がデータ送信のためにモバイルデバイスに利用可能な制御オプションのセットを示すメッセージを受信することを含む。この方法はいくつかの拡散コードシーケンスから拡散コードシーケンスを選択することを含み、拡散コードシーケンスは制御オプションのセットにおける制御オプションに対応し、拡散コードシーケンスの数は拡散コードシーケンスの各々の長さよりも大きく、拡散コードシーケンスは、拡散コードシーケンスの各々の長さが値以上であるとき、第１方法を使用して生成される。この方法はまた、拡散コードシーケンスを用いて複数の基準信号シンボルを生成するステップと、複数の基準信号シンボルを送信するステップとを含む。【選択図】図９
2021507628.tif 000002
【特許請求の範囲】
【請求項１】
無線通信のための方法であって、
モバイルデバイスにおいて、データ送信のために前記モバイルデバイスが利用可能な制御オプションのセットを通知するメッセージを受信するステップ；
１以上の拡散コードシーケンスから拡散コードシーケンスを選択するステップであって、前記拡散コードシーケンスは制御オプションの前記セットにおける制御オプションに対応し、前記拡散コードシーケンスの数は各前記拡散コードシーケンスの長さよりも大きく、前記拡散コードシーケンスは各前記拡散コードシーケンスの長さがある値以上であるとき第１方法を使用して生成される、ステップ；
前記拡散コードシーケンスを使用して複数の基準信号シンボルを生成するステップ；
前記モバイルデバイスから、前記複数の基準信号シンボルを送信するステップ；
を有する方法。
【請求項２】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有する、
請求項１記載の方法。
【請求項３】
前記値は３に等しい、請求項１記載の方法。
【請求項４】
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１記載の方法。
【請求項５】
制御オプションの前記セットは、
データ送信のための変調およびコードスキーム、冗長バージョン、またはハイブリッド自動再送要求（ＨＡＲＱ）プロセスインデックスの情報を含む、
請求項１から４のいずれか１項記載の方法。
【請求項６】
前記拡散コードシーケンスの数は、制御オプションの数以上である、
請求項１から５のいずれか１項記載の方法。
【請求項７】
無線通信のための方法であって、
モバイルデバイスにおいて、データ送信のための１つまたは複数のパラメータおよび１以上の拡散コードシーケンスを通知するメッセージを受信するステップであって、各前記拡散コードシーケンスの長さがある値以上であるとき前記拡散コードシーケンスは第１方法を使用して生成される、ステップ；
前記１以上の拡散コードシーケンスから前記１つまたは複数のパラメータおよび１つの前記拡散コードシーケンスを使用して基準信号シーケンスを生成するステップであって、前記拡散コードシーケンスの数は各前記拡散コードシーケンスの長さよりも大きい、ステップ；
前記モバイルデバイスから前記基準信号シーケンスを送信するステップ；
を有する方法。
【請求項８】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有する、
請求項７記載の方法。
【請求項９】
前記値は３に等しい、請求項７記載の方法。
【請求項１０】
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項７記載の方法。
【請求項１１】
前記１つ以上のパラメータは、Ｚａｄｏｆｆ−Ｃｈｕ根の個数またはサイクリックシフトの個数を示す、
請求項７から１０のいずれか１項記載の方法。
【請求項１２】
前記基準信号を生成するステップはさらに、
前記１つまたは複数のパラメータを使用してレガシー基準信号シンボルを生成するステップ；
前記レガシー基準信号シンボルをＮ回繰り返すことによってレガシー基準信号シーケンスを取得するステップであって、Ｎは各前記拡散コードシーケンスの長さである、ステップ；
前記１以上の拡散コードシーケンスから１つの前記拡散コードシーケンスを選択するステップ；
前記レガシー基準信号シーケンスを要素ごとに前記拡散コードシーケンスと乗算して、前記基準信号シーケンスを取得するステップ；
を有する、
請求項１１記載の方法。
【請求項１３】
前記１つまたは複数のパラメータは、レガシー基準信号シーケンスを示す、
請求項７から１０のいずれか１項記載の方法。
【請求項１４】
前記基準信号を生成するステップはさらに、
前記１以上の拡散コードシーケンスから１つの前記拡散コードシーケンスを選択するステップ；
前記レガシー基準信号シーケンスの少なくとも一部を要素ごとに前記拡散コードシーケンスと乗算して、前記基準信号シーケンスを取得するステップ；
を有する、
請求項１３記載の方法。
【請求項１５】
無線通信のための方法であって、
データ送信のためにモバイルデバイスが利用可能な制御オプションのセットを通知するメッセージを前記モバイルデバイスに対して送信するステップ；
複数の基準信号シンボルを前記モバイルデバイスから受信するステップ；
を有し。
前記複数の基準信号シンボルはいくつかの拡散コードシーケンスから選択された拡散コードシーケンスを使用して生成され、前記拡散コードシーケンスは制御オプションの前記セット内の制御オプションに対応し、前記拡散コードシーケンスの数は各前記拡散コードシーケンスの長さよりも大きく、各前記拡散コードシーケンスの長さがある値以上であるとき前記拡散コードシーケンスは第１方法を使用して生成される、
方法。
【請求項１６】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有する、
請求項１５記載の方法。
【請求項１７】
前記値が３に等しい、請求項１５記載の方法。
【請求項１８】
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１５記載の方法。
【請求項１９】
制御オプションの前記セットは、データ送信のための変調およびコードスキーム、冗長バージョン、またはハイブリッド自動再送要求（ＨＡＲＱ）プロセスインデックスの情報を含む、
請求項１５から１８のいずれか１項記載の方法。
【請求項２０】
前記拡散コードシーケンスの数は、制御オプションの数以上である、
請求項１５から１９のいずれか１項記載の方法。
【請求項２１】
無線通信のための方法であって、
データ送信のための１つまたは複数のパラメータおよび１以上の拡散コードシーケンスを通知するメッセージをモバイルデバイスに対して送信するステップであって、各前記拡散コードシーケンスの長さがある値以上である場合、前記拡散コードシーケンスは第１方法を使用して生成される、ステップ；
前記モバイルデバイスから基準信号シーケンスを受信するステップであって、前記基準信号シーケンスは前記１つまたは複数のパラメータおよび前記１以上の拡散コードシーケンスのなかの１つの前記拡散コードシーケンスを使用して生成され、前記拡散コードシーケンスの数は各前記拡散コードシーケンスの長さよりも大きい、ステップ；
を有する方法。
【請求項２２】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有する、
請求項２１記載の方法。
【請求項２３】
前記値が３に等しい、請求項２１記載の方法。
【請求項２４】
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から前記拡散コードシーケンスの個数までの範囲である、
請求項２１記載の方法。
【請求項２５】
前記１つまたは複数のパラメータは、Ｚａｄｏｆｆ−Ｃｈｕ根の個数またはサイクリックシフトの個数を示す、
請求項２１から２４のいずれか１項記載の方法。
【請求項２６】
前記１つ以上のパラメータは、レガシー基準信号シーケンスを示す、
請求項１１から２４のいずれか１項記載の方法。
【請求項２７】
請求項１から２６のいずれか１項記載の方法を実行するように構成されたプロセッサを備える、無線通信装置。
【請求項２８】
プロセッサによって実行されたとき、前記プロセッサに請求項１から２６のいずれか１項記載の方法を実装させるコードを記憶した、コンピュータ可読媒体。
【発明の詳細な説明】
【技術分野】
【０００１】
この特許文献は一般に、デジタル無線通信に関する。
【背景技術】
【０００２】
モバイル通信技術は、ますます接続されネットワーク化された社会に向かって世界を動かしている。移動通信の急速な成長および技術の進歩は、性能および接続性に対するより大きな需要をもたらした。エネルギー消費、デバイスコスト、スペクトル効率、および待ち時間などのようなその他の側面も、様々な通信シナリオのニーズを満たすために重要である。より高いサービス品質を提供するための新しい方法を含む様々な技術が議論されている。
【発明の概要】
【発明が解決しようとする課題】
【０００３】
この文書は、デジタル無線通信に関する方法、システム、およびデバイスを開示する。より具体的には、拡散コード生成に関連する技術、および、事前構成されたまたは無許可送信のために、生成された拡散コード（複数可）を基準信号に対して適用する技法に関する。
【課題を解決するための手段】
【０００４】
１つの例示的な態様において、無線通信のための方法が開示される。この方法は以下を含む：モバイルデバイスにおいて、データ送信のためにモバイルデバイスが利用可能な制御オプションのセットを通知するメッセージを受信するステップ；いくつかの拡散コードシーケンスから拡散コードシーケンスを選択するステップであって、前記拡散コードシーケンスは制御オプションの前記セットにおける制御オプションに対応し、前記拡散コードシーケンスの数は各前記拡散コードシーケンスの長さよりも大きく、前記拡散コードシーケンスは各前記拡散コードシーケンスの長さがある値以上であるとき第１方法を使用して生成される、ステップ；前記拡散コードシーケンスを使用して複数の基準信号シンボルを生成するステップ；前記モバイルデバイスから、前記複数の基準信号シンボルを送信するステップ。
【０００５】
いくつかの実施形態では、前記第１方法は、Ｍ＝１＋Ｃ＿Ｎ＾１＋Ｃ＿Ｎ＾２＋．．．＋Ｃ＿Ｎ＾（Ｎ−２）ベクトルを含む、次元Ｎのフーリエ変換行列と、１と０の置換とを用いて拡散コードシーケンスを生成するステップであって、各ベクトルは長さＮを有する、ステップを有する。いくつかの実施例において、前記値は３に等しい。
【０００６】
いくつかの実施形態では、各前記拡散コードシーケンスの長さが前記値未満である場合、前記拡散コードシーケンスは前記第１方法とは異なる第２方法を使用して生成される。前記第２方法は、１と１のＮ乗原始根とを組み合わせることによって前記拡散コードシーケンスを生成するステップを有し、Ｎは１から拡散コードシーケンスの個数までの範囲である。
【０００７】
いくつかの実施形態では、制御オプションのセットは以下を含む：データ送信のための変調およびコードスキーム、冗長バージョン、またはハイブリッド自動再送要求（ＨＡＲＱ）プロセスインデックスの情報を含む。いくつかの実施形態では、前記拡散コードシーケンスの数は、制御オプションの数以上である。
【０００８】
別の例示的な態様において、無線通信のための方法が開示される。この方法は以下を有する：モバイルデバイスにおいて、データ送信のための１つまたは複数のパラメータおよび１以上の拡散コードシーケンスを通知するメッセージを受信するステップであって、各前記拡散コードシーケンスの長さがある値以上であるとき前記拡散コードシーケンスは第１方法を使用して生成される、ステップ；前記拡散コードシーケンスのなかの前記１つまたは複数のパラメータおよび拡散コードシーケンスを使用して基準信号シーケンスを生成するステップであって、前記拡散コードシーケンスの数は各前記拡散コードシーケンスの長さよりも大きい、ステップ；前記モバイルデバイスから前記基準信号シーケンスを送信するステップ。
【０００９】
いくつかの実施形態では、前記第１方法は、Ｍ＝１＋Ｃ＿Ｎ＾１＋Ｃ＿Ｎ＾２＋．．．＋Ｃ＿Ｎ＾（Ｎ−２）ベクトルを含む、次元Ｎのフーリエ変換行列と、１と０の置換とを用いて拡散コードシーケンスを生成するステップであって、各ベクトルは長さＮを有する、ステップを有する。いくつかの実施例では前記値は３に等しい。
【００１０】
いくつかの実施形態では、各前記拡散コードシーケンスの長さが前記値未満である場合、前記拡散コードシーケンスは前記第１方法とは異なる第２方法を使用して生成される。前記第２方法は、１と１のＮ乗原始根とを組み合わせることによって前記拡散コードシーケンスを生成するステップを有し、Ｎは１から拡散コードシーケンスの個数までの範囲である。
【００１１】
いくつかの実施形態において、前記１つ以上のパラメータは、Ｚａｄｏｆｆ−Ｃｈｕ根の個数またはサイクリックシフトの個数を示す。いくつかの実装形態では、前記基準信号を生成するステップはさらに以下を含む：前記１つまたは複数のパラメータを使用してレガシー基準信号シンボルを生成するステップ；前記レガシー基準信号シンボルをＮ回繰り返すことによってレガシー基準信号シーケンスを取得するステップであって、Ｎは各前記拡散コードシーケンスの長さである、ステップ；前記レガシー基準信号シーケンスを要素ごとに前記拡散コードシーケンスと乗算して、前記基準信号シーケンスを取得するステップ。
【００１２】
いくつかの実施形態では、前記１つまたは複数のパラメータは、レガシー基準信号シーケンスを示す。いくつかの実装形態では、前記基準信号を生成するステップはさらに以下を含む：前記拡散コードシーケンスから１つの前記拡散コードシーケンスを選択するステップ；前記レガシー基準信号シーケンスの少なくとも一部を要素ごとに前記拡散コードシーケンスと乗算して、前記基準信号シーケンスを取得するステップ。
【００１３】
別の例示的な態様では、無線通信のための方法が開示される。この方法は以下を有する：データ送信のためにモバイルデバイスが利用可能な制御オプションのセットを通知するメッセージを前記モバイルデバイスに対して送信するステップ；複数の基準信号シンボルを前記モバイルデバイスから受信するステップ。前記複数の基準信号シンボルはいくつかの拡散コードシーケンスから選択された拡散コードシーケンスを使用して生成され、前記拡散コードシーケンスは制御オプションの前記セット内の制御オプションに対応し、前記拡散コードシーケンスの数は各前記拡散コードシーケンスの長さよりも大きく、各前記拡散コードシーケンスの長さがある値以上であるとき前記拡散コードシーケンスは第１方法を使用して生成される。
【００１４】
いくつかの実施形態では、前記第１方法は、Ｍ＝１＋Ｃ＿Ｎ＾１＋Ｃ＿Ｎ＾２＋．．．＋Ｃ＿Ｎ＾（Ｎ−２）ベクトルを含む、次元Ｎのフーリエ変換行列と、１と０の置換とを用いて拡散コードシーケンスを生成するステップであって、各ベクトルは長さＮを有する、ステップを有する。いくつかの実施例では前記値は３に等しい。
【００１５】
いくつかの実施形態では、各前記拡散コードシーケンスの長さが前記値未満である場合、前記拡散コードシーケンスは前記第１方法とは異なる第２方法を使用して生成される。前記第２方法は、１と１のＮ乗原始根とを組み合わせることによって前記拡散コードシーケンスを生成するステップを有し、Ｎは１から拡散コードシーケンスの個数までの範囲である。
【００１６】
いくつかの実施形態では、制御オプションの前記セットは、データ送信のための変調およびコードスキーム、冗長バージョン、またはハイブリッド自動再送要求（ＨＡＲＱ）プロセスインデックスの情報を含む。いくつかの実施形態では、前記拡散コードシーケンスの数は、制御オプションの数以上である。
【００１７】
別の例示的な態様では、無線通信のための方法が開示される。この方法は以下を有する：データ送信のための１つまたは複数のパラメータおよび１以上の拡散コードシーケンスを通知するメッセージをモバイルデバイスに対して送信するステップであって、各前記拡散コードシーケンスの長さがある値以上である場合、前記拡散コードシーケンスは第１方法を使用して生成される、ステップ；前記モバイルデバイスから基準信号シーケンスを受信するステップであって、前記基準信号シーケンスは前記１つまたは複数のパラメータおよび前記拡散コードシーケンスのなかの１つの前記拡散コードシーケンスを使用して生成され、前記拡散コードシーケンスの数は各前記拡散コードシーケンスの長さよりも大きい、ステップ。
【００１８】
いくつかの実施形態では、前記第１方法は、Ｍ＝１＋Ｃ＿Ｎ＾１＋Ｃ＿Ｎ＾２＋．．．＋Ｃ＿Ｎ＾（Ｎ−２）ベクトルを含む、次元Ｎのフーリエ変換行列と、１と０の置換とを用いて拡散コードシーケンスを生成するステップであって、各ベクトルは長さＮを有する、ステップを有する。いくつかの実施例では前記値は３に等しい。
【００１９】
いくつかの実施形態では、各前記拡散コードシーケンスの長さが前記値未満である場合、前記拡散コードシーケンスは前記第１方法とは異なる第２方法を使用して生成される。前記第２方法は、１と１のＮ乗原始根とを組み合わせることによって前記拡散コードシーケンスを生成するステップを有し、Ｎは１から拡散コードシーケンスの個数までの範囲である。
【００２０】
いくつかの実施形態において、前記１つ以上のパラメータは、Ｚａｄｏｆｆ−Ｃｈｕ根の個数またはサイクリックシフトの個数を示す。いくつかの実施形態では、前記１つまたは複数のパラメータがレガシー基準信号シーケンスを示す。
【００２１】
別の例示的な態様では、プロセッサを備える無線通信装置が開示される。前記プロセッサは、本明細書で説明される方法を実施するように構成される。
【００２２】
さらに別の例示的な態様では、本明細書で説明される様々な技術はプロセッサ実行可能コードとして実施され、コンピュータ可読プログラム媒体上に格納される。
【００２３】
１つまたは複数の実装の詳細は、添付の添付物、図面、および以下の説明によって記載される。他の特徴は、以下の説明および図面、ならびに特許請求の範囲から明らかになるであろう。
【図面の簡単な説明】
【００２４】
【図１】現在のロングタームエボリューション（ＬＴＥ）システムにおける例示的なアップリンク信号の概略図を示す。
【００２５】
【図２】ＷｉＦｉ  ８０２．１１規格による信号変調の概略図を示す。
【００２６】
【図３】無線通信のための方法のフローチャート表現である。
【００２７】
【図４】無線通信のための別の方法のフローチャート表現である。
【００２８】
【図５】無線通信のための別の方法のフローチャート表現である。
【００２９】
【図６】無線通信のための別の方法のフローチャート表現である。
【００３０】
【図７】複数のユーザ機器が同じリソースを共有する確率の例示的なプロットを示す。
【００３１】
【図８】複数のユーザ機器が同じリソースを共有する確率の別の例示的なプロットを示す。
【００３２】
【図９】本技術の１つまたは複数の実施形態による技法を適用することができる無線通信システムの例を示す。
【００３３】
【図１０】無線局の一部のブロック図表現である。
【発明を実施するための形態】
【００３４】
無線通信技術の継続的な発展に伴い、広範囲の無線通信サービスが出現している。例えばＩｏＴ（Ｉｎｔｅｒｎｅｔ  ｏｆ  Ｔｈｉｎｇｓ）の開発は、膨大な量の小型デバイス（例えば、センサおよび／または機器）がセルラーネットワークにおいて通信することを可能にする。これらの小さな装置からのネットワークトラフィックは散発的である傾向があり、小さなデータパッケージを含む。このようなトラフィックは、音声やデータサービスなどの従来のタイプのネットワークトラフィックとはまったく異なる。
【００３５】
ＩｏＴ通信によって提起される課題の１つは、大規模な接続をサポートしながらリソース効率を達成することである。ＩｏＴトラフィックは散発的である傾向があり、データの量は少ないので、ユーザ機器（ＵＥ）と基地局（ＢＳ）との間の接続をセットアップおよび／または解放するための制御シグナリングは、データ送信のために必要とされるリソースよりも多くのネットワークリソースを占有する場合がある。その結果、制御チャネルは、ＩｏＴ送信におけるボトルネックとなり得る。シグナリングオーバーヘッドを低減し、より高いリソース効率を達成するために、２つの可能な送信メカニズム、すなわち、リソース事前構成および無許可送信を利用することができる。
【００３６】
リソース事前構成手段は、特定の端末のために物理リソースを時間領域および／または周波数領域に事前配置する。例えば、ＬＴＥ（Ｌｏｎｇ  ＴｅｒＭ  Ｅｖｏｌｕｔｉｏｎ）ネットワーク（ＶｏＬＴＥ（Ｌｏｎｇ  ＴｅｒＭ  Ｅｖｏｌｕｔｉｏｎ））における音声伝送をサポートするために、半永続的スケジューリング（ＳＰＳ：ｓｅＭｉ−ｐｅＲＳｉｓｔｅｎｔ  ｓｃｈｅｄＵＬｉｎｇ）が使用されている。
【００３７】
ＬＴＥシステムにおいては、物理ダウンリンク共有チャネル（ＰＤＳＣＨ）および／または物理アップリンク共有チャネル（ＰＵＳＣＨ）のためのリソース割り当て情報は、物理ダウンリンク制御チャネル（ＰＤＣＣＨ）によって搬送される。ただし、ＰＤＣＣＨで許容される直交周波数分割多重（ＯＦＤＭ）シンボルの量は制限される。例えば、１サブフレーム当たり１〜３個のＯＦＤＭシンボルのみがＰＤＣＣＨ情報を搬送することを許可される。その結果、動的スケジューリング（すなわち、ＰＤＣＣＨシグナリングとＰＤＳＣＨ／ＰＵＳＣＨ割り当てとの間の１対１の対応）を使用して、同時にサポートされることができるＵＥの数が制限される。
【００３８】
この制限に対処するために、半永続的スケジューリング（ＳＰＳ）が導入された。ＳＰＳによれば、ＵＥはＳＰＳ  Ｒａｄｉｏ  Ｎｅｔｗｏｒｋ  ＴｅＭｐｏｒａｒｙ  Ｉｄｅｎｔｉｆｉｅｒ（ＳＰＳ−ＲＮＴＩ）を使用してベースステーションによって事前に設定されている。ＳＰＳ-ＲＮＴＩ（通常のＣ−ＲＮＴＩの代わり）と定期性（例：２００Ｍｓ）を使用して、リソースが割り当てられる。ＳＰＳの間において、割り当てられたリソースは、事前に設定された周期性に従ってＵＥによって使用される。
【００３９】
ＳＰＳは、ＰＤＣＣＨリソースを増加させることなくより多くのＵＥをサポートすることができるように、ＶｏＬＴＥなどの周期的通信によく適している。しかしながら、変調および符号化方式（ＭＣＳ）のような送信パラメータは、所与のＳＰＳ割り当てに対して固定される。伝送毎の許容可能な故障率を保証するために、保守的な変調および符号化方式が一般的に使用される。したがって、チャネル状態が変化すると、新しいＳＰＳ割り当てが必要となる。さらに、任意の増分冗長再送信（例えば、ハイブリッド自動再送要求（ＨＡＲＱ）ベースの再送信）は、動的スケジューリングを使用して別々にスケジュールされる。したがって、ＳＰＳはその周期性が固定されたＭＣＳにとって長すぎる可能性があり、リソース効率が低くなるので、ＩｏＴトラフィックにとってそれほど効率的ではない。また、ＨＡＲＱの動的スケジューリングは、コストがかかりすぎる可能性がある。
【００４０】
一方、無許可伝送は、イーサネット通信におけるＡＬＯＨＡ法に由来する。ＡＬＯＨＡ法は、複数のＵＥが同じ周波数リソースを使用して送信することを可能にする。衝突が起こると、各衝突したＵＥは、再送信のためにランダム遅延を選択する。改善されたＡＬＯＨＡ方法（スロット付きＡＬＯＨＡ（Ｓ−ＡＬＯＨＡ）としても知られている）は、ＵＥが共通の送信期間および共通の開始時間を共有して、送信開始することを可能にする。Ｓ−ＡＬＯＨＡ法を用いると、従来のＡＬＯＨＡ法と比較して衝突の機会を半分に減らすことができる。
【００４１】
ＢＳによる中央制御下の無線通信システムについては、ＢＳからの定期ダウンリンク（ＤＬ）ブロードキャストにより、ＵＥがアップリンク（ＵＬ）送信を同期化することが可能となり、これによりS−ＡＬＯＨＡの利用が促進される。理論的には、S−ＡＬＯＨＡの最大チャンネル利用はｅ−1であり、または約３７％である。しかし、大量の接続があるＩｏＴシナリオ（例えば１ｋＭ２あたり〜１０６接続）においては、厳しいデータパッケージの衝突によりS−ＡＬＯＨＡ法の効率性と安定性が疑わしくなり、システム全体のリソース効率性が低く、さらに悪くなり、システム全体が誤作動してしまう。
【００４２】
Ｓ−ＡＬＯＨＡ法のリソース効率を改善するために、ＵＥが同じ時間−周波数リソースを共有できるように、種々の非直交多元接続（ＮＯＭＡ）方式が提案された。しかしながら、基準信号の衝突回避と復調は，ＮＯＭＡ方式の良好な受信（すなわち、正確なチャネル推定）を保証するために、依然として、対処すべき鍵となる課題である。例えば、ＬＴＥシステムでは、ランダムアクセスチャネル（ＲＡＣＨ）のためにセル当たり６４個のプリアンブルが提供される。大量のＵＥが、ランダムに選択されたプリアンブルを使用してネットワークにアクセスすることを望む場合、ＵＥの数が増加することにつれて、衝突確率は急速に増加する。したがって、膨大な数の接続を有するＩｏＴアプリケーションの場合、同時ＵＥ送信による正確なＵＥ検出およびチャネル推定を可能にするために、はるかに大きな基準信号プールを有することが望ましい。
【００４３】
現在のシステムでは、基準信号プールが制限されることがある。図１は、現在のＬＴＥシステムにおける例示的なアップリンク信号の概略図を示す。アップリンク信号１００は、チャネル推定および物理障害測定を容易にするために、２つの基準信号（ＲＳ）シンボル１０１を含む。これらの基準信号シンボルに対して適用される拡散コードはない。図２は、ＷｉＦｉ８０２．１１規格による信号変調の概略図を示す。８０２．１１ａ／ｇ／Ｎ／ａｃシステムでは、制御およびデータの前に共通基準信号ヘッド−非ＨＴショートトレーニングフィールド（Ｌ−ＳＴＦ）２０１および非ＨＴロングトレーニングフィールド（Ｌ−ＬＴＦ）２０２が追加され、これによりＵＥ検出とチャネル推定を可能にする。Ｌ−ＳＴＦ  （ショート）には同一記号が１０個、Ｌ−ＬＴＦ（ロング）には同一記号が２つある。基準信号のシンボルは単純に繰り返される。このようにして、繰り返しは、全て１を有する拡散コードで基準信号を拡散することと等価である。しかしながら、このような拡散は、利用可能な基準信号の量を大きく増加させない。
【００４４】
この特許文献は、拡散コードセットの生成、および、より大きな基準信号のプールを得るために拡散コードセットを基準信号に対して適用する方法を記載している。基準信号のより大きなプールを有することにより、制御情報は、いかなる信号伝達オーバヘッドも発生させることなく、基準信号伝送の一部として伝送することができる。より大きな基準信号プールはまた、無許可送信におけるＵＥデータ衝突の確率を低減し、それによって、ＩｏＴシナリオのためのリソース効率を増加させる。
【００４５】
＜拡散コード生成＞
【００４６】
Ｎ×Ｎ符号行列のような直交拡散コードセットは、Ｎ個のシンボルを有する基準信号をＮ個の基準信号のプール内に拡散させることができる。しかしながら、Ｎが小さな値（例えば、２または３）であるとき、プールは、制御情報を効果的に搬送するか、または送信衝突を低減するにはまだ小さすぎる。したがって、基準信号が十分に拡散できることを保証するために、Ｍ個のエントリ（Ｍ＞＞Ｎ）を有する符号行列などのような非直交拡散コードセットを使用することが望ましい。拡散コードの生成に関する詳細は、以下の通りである。
【００４７】
Ｌｅｎｇｔｈ−２コードブック
【００４８】
長さ２のコードブックは、長さ２のすなわち（Ｎｃｏｄｅ＝２）に対して適用できる。
【００４９】
フルコードセットは、［１  １；  １  ω；  ．．．  ；  １  ω２；  ．．．；  １  ωＭ−１］、ω＝ｅｊ２π／Ｍ、Ｍ＞Ｎｃｏｄｅによって与えられる。Ｍの値は、ＵＥに対して利用可能な制御オプション（Ｎｏｐｔｉｏｎ）の数に基づいて決定することができる。これについては図３〜図４で説明する。Ｍの値は、基準信号プールの望ましい側によって決定することもできる。いくつかの実施形態では、ＢＳおよびＵＥの両方がフルコードセットのサブセットを格納することができる。
【００５０】
Ｌｅｎｇｔｈ−３コードブック
【００５１】
長さ３のコードブックは、長さ３の基準信号（すなわちＮｃｏｄｅ＝３）に対して適用できる。
【００５２】
長さ３のコードブックは、次の手順を使用して生成できる：
【００５３】
１．１：フーリエ変換行列［１  １  １；１  ω  ω２；１  ω２  ω４］で与えられるベースコードセットを作成する。ω＝ｅｊ２π／３。
【００５４】
１．２：［１  １  １；１  １  ０；１  ０  １；０  １  １］として与えられる拡散コード行列を用意する。
【００５５】
１．３：ベースコードセット（例：［１  ω  ω２］）からエントリを選択し、拡散コードマトリクス（例：［１  ０  １］）から別のエントリを選択する。この２つのエントリ用いて要素間の掛け算を実施し、コードセットの新規エントリ（例：［１  ０  ω２］）を取得する。ベースコードセットの全エントリと拡散コードマトリクスについてこの手順を実行して、フルコードセットを取得する。
【００５６】
フルコードセットには、［１  １  １  ；  １  ω  ω２  ；  １  ω２  ω４  ；  １  １  ０  ；  １  ω  ０  ；  １  ω２  ０  ；  １  ０  １  ；  １  ０  ω２  ；  １  ０  ω４  ；  ０  １  １  ；  ０  ω  ω２  ；  ０  ω２  ω４  ］  という１２のエントリが含まれる。
【００５７】
Ｌｅｎｇｔｈ−４コードブック
【００５８】
長さ４のコードブックは、長さ４の基準信号（Ｎｃｏｄｅ＝４）に対して適用できる。
【００５９】
長さ４のコードブックは、次の手順を使用して生成できる：
【００６０】
２．１：フーリエ変換行列［１  １  １  １  ；  １  ω  ω２  ω３  ；  １  ω２  ω４  ω６  ；  １  ω３  ω６  ω９  ］で与えられるベースコードセットを用意する。ω＝ｅｊ２π／４。
【００６１】
２．２：［１  １  １  １；  １  １  １  ０；  １  １  ０  １；  １  ０  １  １；  ０  １  １  １；  ０  ０  １    １；  ０  １  １  ０；  １  １  ０  ０；  １  ０  ０  １；  １  ０  １  ０；  ０  １  ０  １］として与えられる拡散コード行列を準備する。
【００６２】
２．３：ベースコードセットからエントリ（例えば、［１  ω  ω２  ω３］）を選択する。拡散コードマトリクスから別のエントリ（例えば、［１  ０  １  １］）を選択する。この２つのエントリを用いて要素間の掛け算を実施し、コードセットの新規エントリ（例：［１  ０  ω２  ω３］）を取得し、ベースコードセットの全エントリと拡散コードマトリクスについてこの手順を実行し、フルコードセットを取得する。
【００６３】
完全なコードセットには、４×１１＝４４エントリが含まれる。
【００６４】
ＬｅｎｇｔｈＮのコードブック
【００６５】
長さ３および長さ４のコードブックに対して使用される生成法は一般化され、長さＮに対して適用することができる。Ｎｃｏｄｅ＞２。長さＮのコードブックは、長さＮ（すなわち、Ｎｃｏｄｅ＝Ｎ）を有する基準信号に対して適用することができる。
【００６６】
長さＮコードブックは、以下のステップを使用して生成できる：
【００６７】
２．１：次元Ｎを有するフーリエ変換行列によって与えられるベースコードセットを準備する。ω＝ｅｊ２π／Ｎ。
【００６８】
２．２：拡散コード行列を準備する。拡散コード行列は以下によって生成される。（１）すべて１を有する１つの長さＮベクトル、（２）それぞれＮ−１個の１と１個のゼロを有するＣＮ１個の長さＮベクトル、（３）それぞれＮ−２個の１と２個のゼロを有するＣＮ２個の長さＮベクトル、．．．、（Ｎ−１）それぞれ２個の１とＮ−２個のゼロを有するＣＮＮ−２個の長さＮベクトル。拡散コード行列のエントリ数はＭ＝１＋ＣＮ１＋ＣＮ２＋．．．＋ＣＮＮ−２で与えられる。
【００６９】
２．３：ベースコードセットからエントリを選択する。拡散コード行列から別のエントリを選択する。これら２つのエントリを使用して要素間乗算を実行し、コードセットの新しいエントリを取得する。ベースコードセット内のすべてのエントリと拡散コードマトリックスに対してこのステップを実行して、完全なコードセットを取得する。
【００７０】
完全なコードセットには、Ｍ個のエントリ（Ｍ＞Ｎ）が含まれ、各エントリの長さはＮである。
【００７１】
＜リソースの事前設定＞
【００７２】
上述の拡散コードは、変調および符号化方式（ＭＣＳ）、冗長バージョン（ＲＶ）、および／またはＨＡＲＱプロセスインデックスなどの制御情報を搬送するために、リソース事前構成シナリオにおいて基準信号に対して適用することができる。
【００７３】
図３は、無線通信のための方法のフローチャート表現である。方法３００は、ステップ３０２において、データ送信のためにモバイルデバイスが利用可能な制御オプションのセットを通知するメッセージをモバイルデバイスに対して送信することを含む。この方法は、ステップ３０４において、モバイルデバイスから、複数の基準信号シンボルを受信することを含む。
【００７４】
プリコンフィギュレーションステージ（例えば、ターゲットＵＥのためのＳＰＳコンフィギュレーション）において、基地局は、ＭＣＳ、ＲＶ、および／またはＨＡＲＱプロセスインデックスのための利用可能な制御オプションをＵＥに対して通知することができる。使用可能な選択肢の個数はＮｏｐｔｉｏｎと表記される。Ｍ個のエントリを持つ拡散コード集合はＢＳによって格納され、ここでＭ＞＝Ｎｏｐｔｉｏｎである。いくつかの実施形態では、Ｍ＝Ｎｏｐｔｉｏｎであり、制御オプションと拡散コードとの間の１対１の対応付けを基地局によって確立および／または格納することができる。いくつかの実施形態ではＭ＞Ｎｏｐｔｉｏｎであり、基地局はコードセット内の拡散コードの一部のみを使用することを選択してもよい。例えば、ＢＳは、事前に定義された規則に従って、コードセットから拡散コードのサブセットを選択することができる。ある実装では、事前定義された規則が拡散コードの選択を完全コードセットの最初のＮｏｐｔｉｏｎ個のエントリに制限することがあり、残りのＭ−Ｎｏｐｔｉｏｎ個のエントリは予約されているとみなされる。
【００７５】
図４は、無線通信のための方法のフローチャート表現である。方法４００は、ステップ４０２において、モバイルデバイスにおいて、データ送信のためにモバイルデバイスが利用可能な制御オプションのセットを通知するメッセージを受信する。いくつかの実施形態では、ターゲットＵＥがＰＤＣＣＨを介して基地局から利用可能な制御オプションを受信する。制御オプションは、チャネルステータスおよび／または以前の送信ステータスに従って、ＭＣＳ、ＲＶ、および／またはＨＡＲＱプロセスインデックスの組み合わせを含むことができる。また、目標ＵＥは、Ｍ≧ＮｏｐｔｉｏｎであるＭ個のコードを有する拡散コード集合を記憶してもよい。
【００７６】
方法４００はステップ４０４において、いくつかの拡散コードシーケンスから１つの拡散コードシーケンスを選択することを含み、拡散コードシーケンスは、制御オプションセット内の制御オプションに対応する。拡散コードシーケンスの数Ｍは、拡散コードシーケンスの各々の長さＮｃｏｄｅよりも大きいことに留意されたい。いくつかの実施形態ではＭ＝Ｎｏｐｔｉｏｎであり、したがって、ＵＥはＢＳと同じ制御オプションと拡散コードとの間の１対１のマッピングを使用する。いくつかの実施形態ではＭ＞Ｎｏｐｔｉｏｎであり、ＵＥは符号セット内の拡散コードの一部のみを使用することを選択してもよい。例えば、ＵＥは、ＢＳによって使用される同じ事前定義ルールに従って、コードセットから拡散コードのサブセットを選択することができる。ある実装では、事前定義された規則が拡散コードの選択を完全コードセットの最初のＮｏｐｔｉｏｎ個のエントリに制限する場合がある；残りのＭ−Ｎｏｐｔｉｏｎ個のエントリは予約されていると考えられる。
【００７７】
方法４００は、ステップ４０６において、拡散コードシーケンスを使用して複数の基準信号シンボルを生成するステップを含む。基準信号シンボルは、元の基準信号を拡散コードシーケンスと要素ごとに乗算することによって生成することができる、方法４００はステップ４０８において、モバイルデバイスから、複数の基準信号シンボルを送信するステップを含む。
【００７８】
次いで、ＢＳは、複数の基準信号シンボルをＵＥから受け取る。ＢＳは、その記憶されたコードセットを使用して、基準信号シンボルによって搬送されるコードとマッチングする。一致したコードは、ＢＳがＵＥの制御オプション（例えば、ＭＣＳ、ＲＶ、および／またはＨＡＲＱプロセスインデックス）を検出することを可能にする。次に、ＢＳは、検出された制御オプションを使用して、ＵＥからデータシンボルをデコードする。
【００７９】
リソース事前構成シナリオのための技法の詳細は、以下の実施形態でさらに説明される。
【００８０】
実施例１
【００８１】
４つのエントリを有する長さ２のコードブックは［１  １；  １  ｊ；  １  −１；  １  −ｊ］（すなわち、Ｍ＝４）によって与えられる。このコードブックにより、基準信号はＵＥによって選択されたＭＣＳを通知するための制御情報を搬送する。表  に、長さ  のコードブックのＭＣＳオプションの例を示す。
【表１】
2021507628.tif 000003
【００８２】
ＢＳが所与のＵＥから基準信号を受信すると、基準信号の２つのシンボルを相関させることにより、搬送された拡散コードを取得する。取得されたコードは、ＢＳがデータシンボルを適切に復号し、復調するのを補助する。
【００８３】
実施例２
【００８４】
１２個のエントリを持つ長さ３のコードブックは、［１  １  １  ；  １  ω  ω２  ；  １  ω２  ω４  ；  １  １  ０  ；  １  ω  ０  ；  １  ω２  ０  ；  １  ０  １  ；  １  ０  ω２  ；  １  ０  ω４  ；  ０  １  １  ；  ０  ω  ω２  ；  ０  ω２  ω４  ］で与えられる。ω＝ｅｊ２π／３。このコードブックにより、基準信号は、ＵＥによって選択されたＭＣＳおよびＲＶを通知するための制御情報を搬送する。表２は、長さ３のコードブックにおけるＭＣＳおよびＲＶオプションの例を示す。
【表２】
2021507628.tif 000004
【００８５】
ＢＳが所与のＵＥから基準信号を受信すると、シンボルのエネルギーを検出し、可能性のあるゼロ値シンボルの位置を特定する。ＢＳは次に、基準信号の非ゼロシンボルを相関させることによって、搬送された拡散コードを取得する。取得されたコードは、ＢＳがデータシンボルを適切に復号し、復調するのを補助する。
【００８６】
実施例３
【００８７】
４つのエントリを有する長さ２のコードブックは［１  １；  １  j；  １  −１；  １  −ｊ］（すなわち、Ｍ＝４）によって与えられる。このコードブックにより、基準信号は、ＵＥによって選択されたＨＡＲＱプロセスインデックスを通知するための制御情報を搬送する。表１は、長さ２のコードブックのためのＨＡＲＱプロセスインデックスオプションの例を示す。
【表３】
2021507628.tif 000005
【００８８】
ＢＳが所与のＵＥから基準信号を受信すると、基準信号の２つのシンボルを相関させることにより、搬送された拡散コードを取得する。取得されたコードは、ＢＳが現在のデータ部分のＨＡＲＱプロセスインデックスを決定し、以前に受信されたデータパッケージとの可能なＨＡＲＱ結合を容易にするのに役立つ。
【００８９】
＜無許可送信＞
【００９０】
無許可送信においては、基準信号プールがＵＥに対して提供される。ＵＥは基準信号のうちの１つをランダムに選択し、それをデータと共に送信する。基準信号は、基地局側のＵＥ検出とチャネル推定を容易にする。ＬＴＥシステムでは、ランダムアクセスチャネル（ＲＡＣＨ）はレガシー基準信号設計の１例である。レガシー基準信号プールは、さまざまなルートＮｒｏｏｔとサイクリックシフトＮｃｓを持つ１つ以上のＺａｄｏｆｆ−Ｃｈｕ（ＺＣ）シーケンスを含む。レガシー基準信号プールにおいて使用可能な基準信号の個数は、Ｎｒｓ＝Ｎroot×Ｎｃｓである。
【００９１】
上述のような拡散コードを、無許可送信シナリオにおけるレガシー基準信号プールに対して適用して、基準信号プールのサイズを増大させ、それによって伝送衝突の確率を低減することができる。
【００９２】
例えば、レガシー基準信号は長さＬを有する（すなわち、レガシー基準信号はＬ個のシンボルを有する）。拡散コードは、レガシー基準信号に対して適用される拡散コードセットから選択することができる。拡散コード長Ｎｃｏｄｅ＜＝Ｌ。Ｎｃｏｄｅ＝Ｌの場合、拡散コードの各要素が基準符号の各シンボルに対して適用されるように、要素ごとの乗算が実行される。Ｎｃｏｄｅ＜Ｌの場合、あらかじめ定められた規則に基づいて、基準信号シンボルのサブセットが選択され、これにより拡散コード長と合致させる。ある実装では、あらかじめ定められた規則により、基準信号シンボルの選択が最初のＮｃｏｄｅ個のシンボルに制限され、残りのＬ−Ｎｃｏｄｅ個のシンボルは変更されないことがある。次に、要素ごとの乗算が実行され、これにより拡散コードの各要素が、基準信号の選択されたサブセットの各シンボルに対して適用される。
【００９３】
上述のように、直交拡散コードを使用すると、Ｎｃｏｄｅ個のリソースを占有するという犠牲を払って、基準信号をＮｃｏｄｅ個の基準信号セットに拡散することができる。したがって、Ｎｒｓ＝Ｎroot×Ｎｃｓの元のプールは、Ｎ’ｒｓ＝Ｎroot×Ｎｃｓ×Ｎｃｏｄｅの大きなプールへ拡散できる。非直交拡散コードを使用すると、基準信号プールのサイズをさらに拡張できる。Ｎ’’ｒｓ＝Ｎroot×Ｎｃｓ×Ｍの新しいプールを生成でき、Ｍ＞Ｎｃｏｄｅである
【００９４】
図５は、無線通信のための方法のフローチャート表現である。方法５００はステップ５０２において、モバイルデバイスに対して、１つ以上のパラメータと、データ送信のための１以上の拡散コードシーケンスとを通知するメッセージを送信する。本方法はまた、ステップ５０４において、モバイルデバイスから、基準信号シーケンスを受信することを含む。
【００９５】
無許可伝送シナリオでは、ＢＳはＰＤＣＣＨを介して、共通ＤＣＩ設定内の共通基準信号設定（ＮrootおよびＮｃｓを含む）を、ＵＥのグループに対して通知する。ＢＳは、Ｍ個の拡散コードエントリを有する拡散コードプールを、ＵＥのグループに対して通知することもできる。
【００９６】
図６は、無線通信のための方法のフローチャート表現である。方法６００は、ステップ６０２において、モバイルデバイスにおいて、データ送信のための１つまたは複数のパラメータおよびいくつかの拡散コードシーケンスを通知するメッセージを受信することを含む。いくつかの実施形態では、ＵＥのグループ内の１つのＵＥが、ＢＳから共通ＤＣＩ構成を受信する。共通ＤＣＩ設定は、レガシー基準信号を生成するためのＮrootやＮｃｓなどのパラメータを含む。共通ＤＣＩ構成はまた、Ｍ個のコードを有する拡散コードブックプールを通知するインジケータを含む。その後、ＵＥは、Ｎ’’ｒｓ＝Ｎroot×Ｎｃｓ×Ｍ個の基準信号を含む基準信号プールを生成することができる。
【００９７】
この方法は、ステップ６０４において、１つまたは複数のパラメータと拡散コードシーケンスのうち１つとを使用して基準信号シーケンスを生成することを含む。基準信号は、以下のように生成することができる：
【００９８】
３．１：選択されたルートおよびサイクリックシフトを使用して、レガシー基準信号シンボルを生成する。
【００９９】
３．２：レガシー基準信号シンボルをＮｃｏｄｅ回繰り返して、レガシー基準信号シーケンスを取得する。
【０１００】
３．３：Ｍ個のエントリを含むコードブックから長さＮｃｏｄｅの拡散コードを選択する。
【０１０１】
３．４：繰り返したレガシー基準信号シーケンスと長さＮｃｏｄｅの拡散コードを要素毎に乗算して、基準信号シーケンスを得る。
【０１０２】
あるいは、１つまたは複数のパラメータは、長さＬを有するレガシー基準信号を示す。基準信号は以下のように生成できる：
【０１０３】
４．１：Ｌ＝Ｎｃｏｄｅの場合、レガシー基準信号と長さＮｃｏｄｅの拡散コードを要素ごとに乗算しい、基準信号シーケンスを求める。
【０１０４】
４．２：Ｌ＞Ｎｃｏｄｅの場合、レガシー基準信号のサブセットを選択する。レガシー基準信号のサブセットには、Ｎｃｏｄｅ個のシンボルが含まれる。サブセットと長さＮｃｏｄｅの拡散コードを要素ごとに乗算し、基準信号シーケンスを得る。
【０１０５】
本方法はまた、ステップ６０６において、モバイルデバイスから、基準信号シーケンスを送信することを含む。
【０１０６】
ＢＳにおいて基準信号シーケンスを受信した後、ＢＳはＵＥ検出およびチャネル推定を補助するために、以下のステップを実行してもよい。
【０１０７】
逆拡散：ＢＳは、以下によって、基準信号シーケンスを逆拡散することができる：（１）要素ごとの乗算を使用して、Ｎｃｏｄｅ個の基準信号シンボルに対して長さＮｃｏｄｅの複合拡散コードを適用する、（２）Ｎｃｏｄｅ個の基準信号シンボルを合計する。
【０１０８】
検出：逆拡散基準信号ごとに、ＢＳは、Ｎroot×Ｎｃｓウィンドウの信号エネルギーを閾値と比較する。信号エネルギーが対応する閾値を超える場合、対応するコードインデックス、ルート、およびサイクリックシフト上にＵＥが存在することを示すフラグがｔｒｕｅに設定される。
【０１０９】
チャネル推定：ルートおよびサイクリックシフトとｔｒｕｅフラグとの各組み合わせについて、チャネル推定を最も強い符号インデックスに対して実行する。
【０１１０】
無許可送信シナリオのための技法の詳細は、以下の実施形態でさらに説明される。
【０１１１】
実施例４
【０１１２】
この実施形態では、１４４の長さを有するレガシーＬＴＥ  ＲＡＣＨスタイルシーケンスが、長さ１３９の巡回パディングされたＺＣシーケンスを使用して生成される。位相回転シーケンスは、特定のサイクリックシフトを搬送するために生成される。４つのＺＣルート（Ｎroot＝４）と２π／１６（Ｎｃs＝１６）のサイクリックシフト分解能を用いて、４×１６＝６４エントリのレガシー基準信号プールを得る。４つのエントリを持つ長さ２のコードブック（Ｎｃｏｄｅ＝２）  は［１  １；  １  ｊ；  １  −１；  １  −ｊ]（つまり、Ｍ＝４、Ｍ＞Ｎｃｏｄｅ）  で与えられる。このコードブックを用いて、レガシー基準信号プールのサイズは、４×１６×４＝２５６エントリに拡張することができる。ＵＥはその基準信号シンボルを生成するために、コードセットから、ＺＣルート、巡回シフト、および拡散コードの組み合わせをランダムに選択することができる。
【０１１３】
図７は、複数のＵＥ（すなわち、Ｋ個のＵＥ）が同じリソースを共有する確率の例示的なプロットを示す。２５６エントリの拡大された基準信号プールを用いて、２つのＵＥ間の衝突確率が１５％から４％に減少することは明らかである。３つのＵＥ間の衝突確率は、１．１％から０．１％に減少する。
【０１１４】
ＺＣルートとサイクリックシフトとの所与の組み合わせは、２つ以上の多重化ＵＥを示すことができる。ＢＳは、基準信号シーケンスを受信した後、２つの基準シンボルを４つの拡散コードとコヒーレントに結合する。４つの結合結果に基づいて、ＢＳは、最大の結合エネルギーを持つ３つより少ない拡散コードを選択し、仮定したＵＥに対して伝搬チャネルを推定した。この選択の背後にある理論的根拠は、ＺＣルートとサイクリックシフトとの所与の組み合わせ上で多重化される３つのＵＥの確率が非常に小さい（〜１％）ことである。
【０１１５】
実施例５
【０１１６】
この実施形態では、長さ１４４のレガシーＬＴＥ  ＲＡＣＨスタイルシーケンスは、長さ１３９の巡回パディングされたＺＣシーケンスを使用して生成される。位相回転シーケンスは、特定のサイクリックシフトを搬送するために生成される。４つのＺＣルート（Ｎroot＝４）と２π／１６（Ｎｃs＝１６）のサイクリックシフト分解能を用いて、４×１６＝６４エントリの基準信号プールを得た。１２個のエントリを持つ長さ３のコードブック（Ｎｃｏｄｅ＝３）  は［１  １  １  ；  １  ω  ω２  ；  １  ω２  ω４  ；  １  １  ０  ；  １  ω  ０  ；  １  ω２  ０  ；  １  ０  １  ；  １  ０  ω２  ；  １  ０  ω４  ；  ０  １  １  ；  ０  ω  ω２  ；  ０  ω２  ω４］（つまり、Ｍ＝１２、Ｍ＞Ｎｃｏｄｅ）  で与えられる。このコードブックを用いて、レガシー基準信号プールのサイズは、４×１６×１２＝７６８エントリに拡張することができる。ＵＥはその基準信号シンボルを生成するために、コードセットから、ＺＣルート、巡回シフト、および拡散コードの組み合わせをランダムに選択することができる。
【０１１７】
図８は、複数のＵＥ（すなわち、Ｋ個のＵＥ）が同じリソースを共有する確率の別の例示的なプロットを示す。７６８エントリの拡大基準信号プールによれば、２つのＵＥ間の衝突確率は１５％から１％に減少することが明らかである。３つのＵＥ間の衝突確率は、１．１％から０．０１％に減少する。
【０１１８】
ＺＣルートと巡回シフトとの所与の組み合わせは、２つ以上の多重化ＵＥを示すことができる。ＢＳは、基準信号シーケンスを受信した後、３つの基準シンボルをこれらの１２個の拡散コードとコヒーレントに結合する。１２の結合結果に基づいて、ＢＳは最大の結合エネルギーを持つ４より少ない拡散コードを選択し、仮定したＵＥに対して伝搬チャネルを推定した。この選択の背後にある理論的根拠は、ＺＣルートと循環シフトとの所与の組み合わせ上で多重化される４つのＵＥの確率が非常に小さい（〜０．０６％）ことである。
【０１１９】
図９は、本技術の１つまたは複数の実施形態による技法を適用することができる無線通信システムの例を示す。無線通信システム９００は、１つまたは複数の基地局（ＢＳ）９０５ａ、９０５ｂと、１つまたは複数のワイヤレスデバイス９１０ａ、９１０ｂ、９１０ｃ、９１０ｄと、コアネットワーク９２５とを含むことができる。基地局９０５ａ、９０５ｂは、１つまたは複数のワイヤレスセクタ内のワイヤレスデバイス９１０ａ、９１０ｂ、９１０ｃ、および９１０ｄに対してワイヤレスサービスを提供することができる。いくつかの実装形態では、基地局９０５ａ、９０５ｂは、異なるセクタにおいて無線カバレージを提供するために２つ以上の指向性ビームを生成する指向性アンテナを含む。
【０１２０】
コアネットワーク９２５は、１つまたは複数の基地局９０５ａ、９０５ｂと通信することができる。コアネットワーク９２５は、他の無線通信システムおよび有線通信システムとの接続性を提供する。コアネットワークは、加入されたワイヤレスデバイス９１０ａ、９１０ｂ、９１０ｃ、および９１０ｄに関連する情報を記憶するために、１つまたは複数のサービス加入データベースを含むことができる。第１基地局９０５ａは第１無線アクセス技術に基づいて無線サービスを提供することができ、第２基地局９０５ｂは第２無線アクセス技術に基づいて無線サービスを提供することができる。基地局９０５ａおよび９０５ｂは、配備シナリオに従って、同じ場所に配置されてもよく、またはフィールドに別々にインストールされてもよい。無線デバイス９１０ａ、９１０ｂ、９１０ｃ、および９１０ｄは、複数の異なる無線アクセス技術をサポートすることができる。
【０１２１】
一部の実装では、無線通信システムは、異なる無線技術を使用する複数のネットワークを含むことができる。デュアルモードまたはマルチモードワイヤレスデバイスは、異なるワイヤレスネットワークに接続するために使用可能な２つ以上のワイヤレス技術を含む。
【０１２２】
図１０は、無線局の一部のブロック図表現である。無線局１００５は例えば基地局または無線機器（またはＵＥ）であり、本書で示される無線技術のうちの１つまたは複数を実装するマイクロプロセッサなどのプロセッサ電子部品８１０を含むことができる。無線局１００５は、アンテナ１０２０などの１つまたは複数の通信インターフェースを介して無線信号を送信および／または受信するためのトランシーバ電子機器１０１５を含むことができる。無線局１００５は、データを送受信するための他の通信インターフェースを含むことができる。無線局１００５は、データおよび／または命令などの情報を記憶するように構成された１つまたは複数のメモリ（明示的に示されていない）を含むことができる。いくつかの実装形態では、プロセッサ電子部品１０１０がトランシーバ電子部品１０１５の少なくとも一部を含むことができる。いくつかの実施形態では開示された技法、モジュール、または機能のうちの少なくともいくつかは無線局１００５を使用して実装される。
【０１２３】
したがって、非直交拡散コードを使用して、より大きな基準信号のプールを得ることができることは明らかである。基準信号のより大きなプールは、事前に構成された送信において制御情報を搬送するために活用できる。より大きなプールはまた、無許可送信におけるデータ衝突の確率を減少させ、それによって、ＩｏＴシナリオのためのリソース効率を増加させる。
【０１２４】
以上のことから、ここに開示された技術の特定の実施形態は例示の目的で本明細書に記載されているが、本発明の範囲から逸脱することなく、様々な修正をできることが理解されるであろう。したがって、本開示の技術は添付の特許請求の範囲による場合を除き、限定されない。
【０１２５】
本文書で説明されている開示された実施形態および他の実施形態、モジュールおよび機能操作は、本文書で開示された構造およびそれらの構造的同等物、または１つ以上の組み合わせで、デジタル電子回路内、またはコンピュータソフトウェア、ファームウェアまたはハードウェア内で実施することができる。開示された実施形態および他の実施形態は１つまたは複数のコンピュータプログラム製品、すなわち、データ処理装置による実行のために、またはデータ処理装置の動作を制御するために、コンピュータ可読媒体上に符号化されたコンピュータプログラム命令の１つまたは複数のモジュールとして実装することができる。コンピュータ可読媒体は、機械可読記憶デバイス、機械可読記憶基板、メモリデバイス、機械可読伝播信号に影響を及ぼす物質の組成物、またはそれらの１つまたは複数の組み合わせとすることができる。用語「データ処理装置」は、例として、プログラマブルプロセッサ、コンピュータ、または複数のプロセッサもしくはコンピュータを含む、データを処理するためのすべての装置、デバイス、および機械を包含する。この装置はハードウェアに加えて、問題のコンピュータプログラムのための実行環境を作成するコード、例えば、プロセッサファームウェア、プロトコルスタック、データベース管理システム、オペレーティングシステム、またはそれらの１つ以上の組み合わせを構成するコードを含むことができる。伝搬された信号は人工的に生成された信号、例えば、機械で生成された電気信号、光信号、または電磁信号であり、これらは、適切な受信装置への送信のために情報を符号化するために生成される。
【０１２６】
コンピュータプログラム（プログラム、ソフトウェア、ソフトウェア・アプリケーション、スクリプト、またはコードとも呼ばれる）は、コンパイルまたはインタプリタ処理された言語を含む任意の形式のプログラミング言語で記述することができ、スタンドアロンプログラムとして、またはコンピューティング環境での使用に適したモジュール、コンポーネント、サブルーチン、またはその他のユニットとして、任意の形式で配置することができる。コンピュータプログラムは、必ずしもファイルシステム内のファイルに対応するわけではない。プログラムは他のプログラムまたはデータ（例えば、マークアップ言語文書に記憶された１つ以上のスクリプト）を保持するファイルの一部、問題のプログラム専用の１つのファイル、または複数の協調ファイル（例えば、１つ以上のモジュール、サブプログラム、またはコードの一部を記憶するファイル）に記憶することができる。コンピュータプログラムは、１つのコンピュータ上、または１つのサイトに配置されるか、複数のサイトに分散され、通信ネットワークによって相互接続される複数のコンピュータ上で実行されるように展開することができる。
【０１２７】
本書に記載されているプロセスおよび論理フローは、１つ以上のコンピュータプログラムを実行する１つ以上のプログラマブルプロセッサによって実行され、入力データを操作し、出力を生成することによって機能を実行することができる。プロセスおよび論理フローはまた、FPGA（フィールド・プログラマブル・ゲート・アレイ）またはASIＣ（特定用途向け集積回路）のような特殊目的論理回路として実行することができ、装置を実装することもできる。
【０１２８】
コンピュータプログラムの実行に適したプロセッサには、一例として、汎用および特殊目的マイクロプロセッサの両方、および任意の種類のデジタルコンピュータの任意の１つ以上のプロセッサが含まれる。一般に、プロセッサは、読み出し専用メモリまたはランダムアクセスメモリ、あるいはその両方から命令およびデータを受信する。コンピュータの本質的な要素は、命令を実行するためのプロセッサと、命令およびデータを記憶するための１つ以上のメモリデバイスである。一般に、コンピュータはまた、データを記憶するための１つまたは複数の大容量記憶装置、例えば、磁気ディスク、光磁気ディスク、または光ディスクを含むか、またはそれらからデータを受信するか、またはそれらにデータを転送するか、またはそれらの両方を行うように動作可能に結合される。しかしながら、コンピュータはそのような装置を有する必要はない。コンピュータプログラム命令およびデータを記憶するのに適したコンピュータ可読媒体には、例えば半導体メモリデバイス、例えばEPROＭ、EEPROＭ、およびフラッシュメモリデバイス、磁気ディスク、例えば内蔵ハードディスクまたはリムーバブルディスク、磁気光学ディスク、およびＣD  ROＭおよびDVD−ROＭディスクを含む、すべての形態の不揮発性メモリ、媒体およびメモリデバイスが含まれる。プロセッサおよびメモリは、特殊目的論理回路によって補足されるか、または特殊目的論理回路に組み込むことができる。
【０１２９】
この特許文献は多くの詳細を含むが、これらは任意の発明の範囲または特許請求するものの限定として解釈されるべきではなく、むしろ、特定の発明の特定の実施形態に特有である特徴の説明として解釈されるべきである。別個の実施形態の文脈でこの特許文献に記載されている特定の特徴は、単一の実施形態において組み合わせて実施することもできる。逆に、単一の実施形態の文脈で説明される様々な特徴は複数の実施形態で別々に、または任意の適切なサブコンビネーションで実施することもできる。さらに、特徴は特定の組み合わせで作用するものとして上記で説明されてもよく、そのようなものとして最初に特許請求されてもよいが、特許請求される組み合わせからの１つまたは複数の特徴は場合によっては組み合わせから削除されてもよく、特許請求される組み合わせはサブコンビネーションまたはサブコンビネーションの変形に向けられてもよい。
【０１３０】
同様に、動作は特定の順序で図面に示されているが、これは望ましい結果を達成するために、そのような動作が示された特定の順序で、または連続的な順序で実行されること、または示されたすべての動作が実行されることを必要とするものとして理解されるべきではない。さらに、この特許文献に記載された実施形態における様々なシステム構成要素の分離は、すべての実施形態においてそのような分離を必要とするものとして理解されるべきではない。
【０１３１】
少数の実装および例のみが説明され、他の実装、拡張およびバリエーションは、この特許文書に記載され、図示されているものに基づいて行うことができる。
【図１】
2021507628.tif 000006
【図２】
2021507628.tif 000007
【図３】
2021507628.tif 000008
【図４】
2021507628.tif 000009
【図５】
2021507628.tif 000010
【図６】
2021507628.tif 000011
【図７】
2021507628.tif 000012
【図８】
2021507628.tif 000013
【図９】
2021507628.tif 000014
【図１０】
2021507628.tif 000015
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
無線通信のための方法であって、
モバイルデバイスにおいて、データ送信のために前記モバイルデバイスが利用可能な制御オプションのセットを通知するメッセージを受信するステップ；
１以上の拡散コードシーケンスから拡散コードシーケンスを選択するステップであって、前記拡散コードシーケンスは制御オプションの前記セットにおける制御オプションに対応し、前記拡散コードシーケンスの数は各前記拡散コードシーケンスの長さよりも大きく、前記拡散コードシーケンスは各前記拡散コードシーケンスの長さがある値以上であることに起因して第１方法を使用して生成される、ステップ；
前記拡散コードシーケンスを使用して複数の基準信号シンボルを生成するステップ；
前記モバイルデバイスから、前記複数の基準信号シンボルを送信するステップ；
を有する方法。
【請求項２】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満であることに起因して、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１記載の方法。
【請求項３】
無線通信のための方法であって、
モバイルデバイスにおいて、データ送信のための１つまたは複数のパラメータおよび１以上の拡散コードシーケンスを通知するメッセージを受信するステップであって、各前記拡散コードシーケンスの長さがある値以上であることに起因して前記拡散コードシーケンスは第１方法を使用して生成される、ステップ；
前記１つまたは複数のパラメータおよび前記１以上の拡散コードシーケンスから１つの前記拡散コードシーケンスを使用して基準信号シーケンスを生成するステップであって、前記拡散コードシーケンスの数は各前記拡散コードシーケンスの長さよりも大きい、ステップ；
前記モバイルデバイスから前記基準信号シーケンスを送信するステップ；
を有する方法。
【請求項４】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満であることに起因して、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項３記載の方法。
【請求項５】
前記１つまたは複数のパラメータは、Ｚａｄｏｆｆ−Ｃｈｕ根の個数またはサイクリックシフトの個数またはレガシー基準信号シーケンスを示す、
請求項３記載の方法。
【請求項６】
無線通信のための方法であって、
データ送信のためにモバイルデバイスが利用可能な制御オプションのセットを通知するメッセージを前記モバイルデバイスに対して送信するステップ；
複数の基準信号シンボルを前記モバイルデバイスから受信するステップ；
を有し、
前記複数の基準信号シンボルはいくつかの拡散コードシーケンスから選択された拡散コードシーケンスを使用して生成され、前記拡散コードシーケンスは制御オプションの前記セット内の制御オプションに対応し、前記拡散コードシーケンスの数は各前記拡散コードシーケンスの長さよりも大きく、各前記拡散コードシーケンスの長さがある値以上であるとき前記拡散コードシーケンスは第１方法を使用して生成される、
方法。
【請求項７】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項６記載の方法。
【請求項８】
無線通信のための方法であって、
データ送信のための１つまたは複数のパラメータおよび１以上の拡散コードシーケンスを通知するメッセージをモバイルデバイスに対して送信するステップであって、各前記拡散コードシーケンスの長さがある値以上である場合、前記拡散コードシーケンスは第１方法を使用して生成される、ステップ；
前記モバイルデバイスから基準信号シーケンスを受信するステップであって、前記基準信号シーケンスは前記１つまたは複数のパラメータおよび前記１以上の拡散コードシーケンスのなかの１つの前記拡散コードシーケンスを使用して生成され、前記拡散コードシーケンスの数は各前記拡散コードシーケンスの長さよりも大きい、ステップ；
を有する方法。
【請求項９】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から前記拡散コードシーケンスの個数までの範囲である、
請求項８記載の方法。
【請求項１０】
前記１つまたは複数のパラメータは、Ｚａｄｏｆｆ−Ｃｈｕ根の個数またはサイクリックシフトの個数またはレガシー基準信号シーケンスを示す、
請求項８記載の方法。
【請求項１１】
無線通信のための装置であって、
プロセッサ、
プロセッサ実行可能コードを含むメモリ、
を備え、
前記プロセッサ実行可能コードは、前記プロセッサが実行すると、前記プロセッサに、
データ送信のためにモバイルデバイスが利用可能な制御オプションのセットを通知するメッセージを受信するステップ；
１以上の拡散コードシーケンスから拡散コードシーケンスを選択するステップであって、前記拡散コードシーケンスは制御オプションの前記セットにおける制御オプションに対応し、前記拡散コードシーケンスの数は各前記拡散コードシーケンスの長さよりも大きく、前記拡散コードシーケンスは各前記拡散コードシーケンスの長さがある値以上であることに起因して第１方法を使用して生成される、ステップ；
前記拡散コードシーケンスを使用して複数の基準信号シンボルを生成するステップ；
前記複数の基準信号シンボルを送信するステップ；
を実施させる、
装置。
【請求項１２】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満であることに起因して、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１１記載の装置。
【請求項１３】
無線通信のための装置であって、
プロセッサ、
プロセッサ実行可能コードを含むメモリ、
を備え、
前記プロセッサ実行可能コードは、前記プロセッサが実行すると、前記プロセッサに、
データ送信のための１つまたは複数のパラメータおよび１以上の拡散コードシーケンスを通知するメッセージを受信するステップであって、各前記拡散コードシーケンスの長さがある値以上であることに起因して前記拡散コードシーケンスは第１方法を使用して生成される、ステップ；
前記１つまたは複数のパラメータおよび前記１以上の拡散コードシーケンスから１つの前記拡散コードシーケンスを使用して基準信号シーケンスを生成するステップであって、前記拡散コードシーケンスの数は各前記拡散コードシーケンスの長さよりも大きい、ステップ；
前記基準信号シーケンスを送信するステップ；
を実施させる、
装置。
【請求項１４】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満であることに起因して、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１３記載の装置。
【請求項１５】
前記１つまたは複数のパラメータは、Ｚａｄｏｆｆ−Ｃｈｕ根の個数またはサイクリックシフトの個数またはレガシー基準信号シーケンスを示す、
請求項１３記載の装置。
【請求項１６】
無線通信のための装置であって、
プロセッサ、
プロセッサ実行可能コードを含むメモリ、
を備え、
前記プロセッサ実行可能コードは、前記プロセッサが実行すると、前記プロセッサに、
データ送信のためにモバイルデバイスが利用可能な制御オプションのセットを通知するメッセージを前記モバイルデバイスに対して送信するステップ；
複数の基準信号シンボルを受信するステップ；
を実施させ、
前記複数の基準信号シンボルはいくつかの拡散コードシーケンスから選択された拡散コードシーケンスを使用して生成され、前記拡散コードシーケンスは制御オプションの前記セット内の制御オプションに対応し、前記拡散コードシーケンスの数は各前記拡散コードシーケンスの長さよりも大きく、各前記拡散コードシーケンスの長さがある値以上であるとき前記拡散コードシーケンスは第１方法を使用して生成される、
装置。
【請求項１７】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から拡散コードシーケンスの個数までの範囲である、
請求項１６記載の装置。
【請求項１８】
無線通信のための装置であって、
プロセッサ、
プロセッサ実行可能コードを含むメモリ、
を備え、
前記プロセッサ実行可能コードは、前記プロセッサが実行すると、前記プロセッサに、
データ送信のための１つまたは複数のパラメータおよび１以上の拡散コードシーケンスを通知するメッセージを送信するステップであって、各前記拡散コードシーケンスの長さがある値以上である場合、前記拡散コードシーケンスは第１方法を使用して生成される、ステップ；
基準信号シーケンスを受信するステップであって、前記基準信号シーケンスは前記１つまたは複数のパラメータおよび前記１以上の拡散コードシーケンスのなかの１つの前記拡散コードシーケンスを使用して生成され、前記拡散コードシーケンスの数は各前記拡散コードシーケンスの長さよりも大きい、ステップ；
を実施させる、
装置。
【請求項１９】
前記第１方法は、Ｍ＝１＋ＣＮ１＋ＣＮ２＋．．．＋ＣＮＮ−２ベクトルを含む、次元Ｎのフーリエ変換行列と、１と０の置換とを用いて拡散コードシーケンスを生成するステップであって、各ベクトルは長さＮを有する、ステップを有し、
各前記拡散コードシーケンスの長さが前記値未満である場合、前記拡散コードシーケンスは前記第１方法とは異なる第２方法を使用して生成され、
前記第２方法は、１と１のＮ乗原始根とを組み合わせることによって前記拡散コードシーケンスを生成するステップを有し、Ｎは１から前記拡散コードシーケンスの個数までの範囲である、
請求項１８記載の装置。
【請求項２０】
前記１つまたは複数のパラメータは、Ｚａｄｏｆｆ−Ｃｈｕ根の個数またはサイクリックシフトの個数またはレガシー基準信号シーケンスを示す、
請求項１８記載の装置。
【国際調査報告】
2021507628.tif 000016
2021507628.tif 000017